【手続補正書】
【提出日】令和3年8月5日(2021.8.5)
【手続補正１】
【補正対象書類名】特許請求の範囲
【補正対象項目名】全文
【補正方法】変更
【補正の内容】
【特許請求の範囲】
【請求項１】
喉頭鏡であって、
近位端と遠位端と第１のチャネルとを備える湾曲したブレードと、
化学発光光源を含む非電気光源を備えるハンドルであって、前記化学発光光源内の触媒は、前記化学発光光源上への圧力によってアクティブ化され、前記第１のチャネルに沿って透過する光を発生させる、ハンドルと、
前記ブレードに近接してかつ前記ブレードを通して配置される第２のチャネルであって、前記第２のチャネルは、酸素、吸引、および器具類のうちの少なくとも１つを前記ブレードの前記近位端の中に、および、前記ブレードの前記遠位端から外に提供するように構成される、第２のチャネルと
を備え、
前記遠位端は、第１のチャネル終端部分と、前記第１のチャネル終端部分から離間した第２のチャネル終端部分とを備える、喉頭鏡。
【請求項２】
前記ブレードの少なくとも一部は、前記光を反射する、請求項１に記載の喉頭鏡。
【請求項３】
前記ブレードは、
（ａ）前記近位端から前記遠位端まで拡張する、または
（ｂ）舌の捕捉および方向付けを促進するように構成される側方隆起部を備える、請求項１に記載の喉頭鏡。
【請求項４】
前記第１のチャネルは、光ファイバまたは導波管を含む、請求項１に記載の喉頭鏡。
【請求項５】
前記ハンドルは、前記化学発光光源が存在するエンクロージャを備え、随意に、前記エンクロージャは、開口部を備え、前記開口部から前記化学発光光源が前記エンクロージャの中に挿入される、請求項１に記載の喉頭鏡。
【請求項６】
前記ハンドルは、
（ａ）回転カムを介してねじり圧力を印加し、前記化学発光光源内の前記触媒のバイアルを亀裂させるように構成される回転部分、または
（ｂ）押し付けられると、前記化学発光光源内の前記触媒のバイアルを亀裂させるように構成される圧力アクティブ化装置、または
（ｃ）摺動しているとき、カムを介して圧力を印加し、前記化学発光光源内の前記触媒のバイアルを亀裂させるように構成される水平トリガ
をさらに備える、請求項１に記載の喉頭鏡。
【請求項７】
前記化学発光光源内の前記触媒は、前記化学発光光源が前記ハンドルの中に挿入されることに先立ってアクティブ化される、請求項１に記載の喉頭鏡。
【請求項８】
前記光の波長は、赤外光から可視光までの範囲内にある、請求項１に記載の喉頭鏡。
【請求項９】
前記ハンドルは、前記ハンドルに前記ブレードを除去可能に取り付けるように構成される少なくとも１つのコネクタを備え、随意に、前記少なくとも１つのコネクタは、
（ａ）前記化学発光光源によって発生される前記光を前記第１のチャネルに結合するように構成される光学インターフェース、または、
（ｂ）酸素源、吸引源、および前記器具類のうちの少なくとも１つを前記第２のチャネルに結合するように構成されるアダプタ
を備える、請求項１に記載の喉頭鏡。
【請求項１０】
前記第２のチャネルは、前記ブレードの長さを横断する、または、前記第２のチャネルは、前記第１のチャネルに近接している、請求項１に記載の喉頭鏡。
【請求項１１】
前記器具類は、ワイヤ、焼灼デバイス、レーザ、光ファイバ、生検鉗子、放射線治療マーカおよび材料の設置具、ワイヤ誘導メス、ならびに局所薬物治療および療法の設置具を含む、請求項１に記載の喉頭鏡。
【請求項１２】
喉頭鏡のハンドルであって、
化学発光光源を含む非電気光源であって、前記化学発光光源内の触媒は、前記化学発光光源上への圧力によってアクティブ化され、光を発生させる、非電気光源と、
前記ハンドルにブレードを除去可能に取り付けるように構成されるコネクタであって、前記コネクタは、前記化学発光光源によって発生される前記光を前記ブレード上の光チャネルに結合するように構成される光学インターフェースを備える、コネクタと、
回転カムを介してねじり圧力を印加し、前記化学発光光源内の前記触媒のバイアルを亀裂させるように構成される回転部分と
を備える、ハンドル。
【請求項１３】
（ａ）前記化学発光光源が存在するエンクロージャをさらに備え、随意に、前記エンクロージャは、開口部を備え、前記開口部から前記化学発光光源が前記エンクロージャの中に挿入される、または
（ｂ）押し付けられると前記化学発光光源内の前記触媒のバイアルを亀裂させるように構成される圧力アクティブ化装置をさらに備える、または
（ｃ）摺動しているとき、カムを介して圧力を印加し、前記化学発光光源内の前記触媒のバイアルを亀裂させるように構成される水平トリガをさらに備える、または
（ｄ）前記化学発光カートリッジ内の前記触媒は、前記化学発光光源が前記ハンドルの中に挿入されることに先立ってアクティブ化される、請求項１２に記載のハンドル。
【請求項１４】
喉頭鏡のブレードであって、
近位端から遠位端まで拡張する湾曲した本体と、
光を透過させるように構成される第１のチャネルと
を備え、
前記本体の少なくとも一部は、前記光を反射し、
前記遠位端は、第１のチャネル終端部分と、前記第１のチャネル終端部分から離間した第２のチャネル終端部分とを備える、ブレード。
【請求項１５】
（ａ）前記本体に近接してかつ前記本体を通して配置される第２のチャネルをさらに備え、前記第２のチャネルは、酸素、吸引、および器具類のうちの少なくとも１つを前記本体の前記近位端の中におよび前記本体の前記遠位端から外に提供するように構成され、随意に、前記器具類は、ワイヤ、焼灼デバイス、レーザ、光ファイバ、生検鉗子、放射線治療マーカおよび材料の設置具、ワイヤ誘導メス、ならびに局所薬物治療および療法の設置具を含む、または
（ｂ）舌の捕捉および方向付けを促進するように構成される側方隆起部をさらに備える、または
（ｃ）前記本体は、プラスチック材料、炭素繊維材料、複合材料、または金属材料から作製される、請求項１４に記載のブレード。
【手続補正２】
【補正対象書類名】明細書
【補正対象項目名】００１１
【補正方法】変更
【補正の内容】
【００１１】
本開示のさらに別の側面によると、喉頭鏡のブレードは、湾曲した本体と、第１のチャネルとを含む。湾曲した本体は、近位端から遠位端まで拡張する。第１のチャネルは、光を透過するように構成される。本体の少なくとも一部は、光を反射するように構成される。
本発明は、例えば、以下を提供する。
（項目１）
喉頭鏡であって、
近位端と遠位端と第１のチャネルとを備える湾曲したブレードと、
化学発光光源を含む非電気光源を備えるハンドルであって、前記化学発光光源内の触媒は、前記化学発光光源上への圧力によってアクティブ化され、前記第１のチャネルに沿って透過する光を発生させる、ハンドルと、
前記ブレードに近接してかつ前記ブレードを通して配置される第２のチャネルであって、前記第２のチャネルは、酸素、吸引、および器具類のうちの少なくとも１つを前記ブレードの近位端の中に、および、前記ブレードの遠位端から外に提供するように構成される、第２のチャネルと
を備える、喉頭鏡。
（項目２）
前記ブレードの少なくとも一部は、前記光を反射する、項目１に記載の喉頭鏡。
（項目３）
前記ブレードは、前記近位端から前記遠位端まで拡張する、項目１に記載の喉頭鏡。
（項目４）
前記ブレードは、舌の捕捉および方向付けを促進するように構成される、側方隆起部を備える、項目１に記載の喉頭鏡。
（項目５）
前記第１のチャネルは、光ファイバまたは導波管を含む、項目１に記載の喉頭鏡。
（項目６）
前記ハンドルは、前記化学発光光源が存在するエンクロージャを備える、項目１に記載の喉頭鏡。
（項目７）
前記エンクロージャは、開口部を備え、前記開口部から前記化学発光光源が前記エンクロージャの中に挿入される、項目６に記載の喉頭鏡。
（項目８）
前記ハンドルは、
回転カムを介してねじり圧力を印加し、前記化学発光光源内の前記触媒のバイアルを亀裂させるように構成される回転部分
をさらに備える、項目１に記載の喉頭鏡。
（項目９）
前記ハンドルは、
押し付けられると、前記化学発光光源内の前記触媒のバイアルを亀裂させるように構成される圧力アクティブ化装置
をさらに備える、項目１に記載の喉頭鏡。
（項目１０）
前記ハンドルは、
摺動しているとき、カムを介して圧力を印加し、前記化学発光光源内の前記触媒のバイアルを亀裂させるように構成される水平トリガ
をさらに備える、項目１に記載の喉頭鏡。
（項目１１）
前記化学発光光源内の前記触媒は、前記化学発光光源が前記ハンドルの中に挿入されることに先立ってアクティブ化される、項目１に記載の喉頭鏡。
（項目１２）
前記光の波長は、赤外光から可視光までの範囲内にある、項目１に記載の喉頭鏡。
（項目１３）
前記ハンドルは、前記ハンドルに前記ブレードを除去可能に取り付けるように構成される、少なくとも１つのコネクタを備える、項目１に記載の喉頭鏡。
（項目１４）
前記少なくとも１つのコネクタは、前記化学発光光源によって発生される前記光を前記第１のチャネルに結合するように構成される光学インターフェースを備える、項目１３に記載の喉頭鏡。
（項目１５）
前記少なくとも１つのコネクタは、アダプタを備え、前記アダプタは、酸素源、吸引源、および前記器具類のうちの少なくとも１つを前記第２のチャネルに結合するように構成される、項目１３に記載の喉頭鏡。
（項目１６）
前記第２のチャネルは、前記ブレードの長さを横断する、項目１に記載の喉頭鏡。
（項目１７）
前記第２のチャネルは、前記第１のチャネルに近接している、項目１に記載の喉頭鏡。
（項目１８）
前記器具類は、ワイヤ、焼灼デバイス、レーザ、光ファイバ、生検鉗子、放射線治療マーカおよび材料の設置具、ワイヤ誘導メス、ならびに局所薬物治療および療法の設置具を含む、項目１に記載の喉頭鏡。
（項目１９）
喉頭鏡のハンドルであって、
化学発光光源を含む非電気光源であって、前記化学発光光源内の触媒は、前記化学発光光源上への圧力によってアクティブ化され、光を発生させる、非電気光源と、
前記ハンドルにブレードを除去可能に取り付けるように構成されるコネクタであって、前記コネクタは、前記化学発光光源によって発生される前記光を前記ブレード上の光チャネルに結合するように構成される光学インターフェースを備える、コネクタと、
を備える、ハンドル。
（項目２０）
前記化学発光光源が存在するエンクロージャをさらに備える、項目１９に記載のハンドル。
（項目２１）
前記エンクロージャは、開口部を備え、前記開口部から前記化学発光光源が前記エンクロージャの中に挿入される、項目２０に記載のハンドル。
（項目２２）
回転カムを介してねじり圧力を印加し、前記化学発光光源内の前記触媒のバイアルを亀裂させるように構成される回転部分をさらに備える、項目１９に記載のハンドル。
（項目２３）
押し付けられると前記化学発光光源内の前記触媒のバイアルを亀裂させるように構成される圧力アクティブ化装置をさらに備える、項目１９に記載のハンドル。
（項目２４）
摺動しているとき、カムを介して圧力を印加し、前記化学発光光源内の前記触媒のバイアルを亀裂させるように構成される水平トリガをさらに備える、項目１９に記載のハンドル。
（項目２５）
前記化学発光カートリッジ内の前記触媒は、前記化学発光光源が前記ハンドルの中に挿入されることに先立ってアクティブ化される、項目１９に記載のハンドル。
（項目２６）
喉頭鏡のブレードであって、
近位端から遠位端まで拡張する湾曲した本体と、
光を透過させるように構成される第１のチャネルと
を備え、
前記本体の少なくとも一部は、前記光を反射する、ブレード。
（項目２７）
前記本体に近接してかつ前記本体を通して配置される第２のチャネルをさらに備え、前記第２のチャネルは、酸素、吸引、および器具類のうちの少なくとも１つを前記本体の近位端の中におよび前記本体の遠位端から外に提供するように構成される、項目２６に記載のブレード。
（項目２８）
舌の捕捉および方向付けを促進するように構成される側方隆起部をさらに備える、項目２６に記載のブレード。
（項目２９）
前記本体は、プラスチック材料、炭素繊維材料、複合材料、または金属材料から作製される、項目２６に記載のブレード。
（項目３０）
前記器具類は、ワイヤ、焼灼デバイス、レーザ、光ファイバ、生検鉗子、放射線治療マーカおよび材料の設置具、ワイヤ誘導メス、ならびに局所薬物治療および療法の設置具を含む、項目２７に記載のブレード。